(57)【要約】【課題】ストレーナ本体に対するストレーナカバーの安定した固定状態を得ることができる、製造容易なオイルストレーナ及びその製造方法を提供すること。【解決手段】オイルストレーナ１は、ストレーナ本体２とストレーナカバー３とフィルタ４とを有する。ストレーナカバー３とフィルタ４とは、本体開口面２１の広がり方向において互いの位置決めをするためのカバー位置決め部３２及びフィルタ位置決め部４２をそれぞれ有する。ストレーナカバー３は、ストレーナ本体２における本体周縁部２３に係合する係合爪部３３を、複数設けてなる。係合爪部３３は立設部３３１と折返し部３３２とを有する。折返し部３３２は、外側から内側へ向かうほど、本体周縁部２３の上面２３１に近づくように、本体周縁部２３の上面２３１に対して傾斜している。折返し部３３２は、折返し先端部３３３において、本体周縁部２３の上面２３１に当接している。【選択図】図１
2018193893.tif 000002
【特許請求の範囲】
【請求項１】
オイルポンプに吸引されるオイルを濾過するオイルストレーナ（１）であって、
上記オイルポンプのポンプ室に連通すると共に下側に本体開口面（２１）を備えたストレーナ本体（２）と、
上記オイルを吸入する吸入口（３１）を有すると共に上記本体開口面を覆うように配設されたストレーナカバー（３）と、
上記ストレーナ本体と上記ストレーナカバーとの間に介在して上記オイルを透過させるフィルタ（４）と、を有し、
上記ストレーナカバーと上記フィルタとは、上記本体開口面の広がり方向において互いの位置決めをするための、カバー位置決め部（３２、３２０）及びフィルタ位置決め部（４２、４２０）を、それぞれ有し、
上記ストレーナカバーは、上記ストレーナ本体における上記本体開口面の外周に設けられた本体周縁部（２３）に係合する係合爪部（３３）を、複数設けてなり、
上記係合爪部は、上記ストレーナカバーから上側へ立設した立設部（３３１）と、上記立設部の上端から内側へ折り返された折返し部（３３２）と、を有し、
上記立設部は、上記本体周縁部の外側において立設しており、
上記折返し部は、外側から内側へ向かうほど、上記本体周縁部の上面（２３１）に近づくように、上記本体周縁部の上面に対して傾斜しており、
上記折返し部は、該折返し部の先端である折返し先端部（３３３）において、上記本体周縁部の上面に当接している、オイルストレーナ。
【請求項２】
上記折返し部は、上記立設部に対して鋭角をなすように屈曲している、請求項１に記載のオイルストレーナ。
【請求項３】
上記フィルタの上面に配された板状のフレーム（５）をさらに有し、該フレームは、上記ストレーナカバー及び上記フィルタと共に、上記本体周縁部の下面に固定されている、請求項１又は２に記載のオイルストレーナ。
【請求項４】
上記フレームは、上記ストレーナカバーに対して、上記本体開口面の広がり方向において位置決めするためのフレーム位置決め部（５２、５２０）を有する、請求項３に記載のオイルストレーナ。
【請求項５】
上記ストレーナカバー及び上記フィルタは、上記カバー位置決め部及び上記フィルタ位置決め部によって、上記ストレーナ本体に対して、上記本体開口面の広がり方向において位置決めされるよう構成されている、請求項１〜４のいずれか一項に記載のオイルストレーナ。
【請求項６】
請求項１〜５のいずれか一項に記載のオイルストレーナを製造する方法であって、
上記ストレーナカバー及び上記フィルタを、上記ストレーナ本体に固定するにあたっては、
上記係合爪部を、上記立設部が上記ストレーナカバーに対して外側へ突出し、かつ上記折返し部が上記立設部に対して上側へ突出した、立設前状態としておき、
上記カバー位置決め部と上記フィルタ位置決め部とによって、上記ストレーナカバーと上記フィルタとを互いに位置決めすると共に、上記ストレーナカバー及び上記フィルタを上記ストレーナ本体の上記本体開口面に配置し、
上記立設前状態にある上記係合爪部を、上記立設部が上記ストレーナカバーに対して上側へ立設するように屈曲させることによって、上記折返し先端部を、上記本体周縁部の上面に当接させる、オイルストレーナの製造方法。
【発明の詳細な説明】
【技術分野】
【０００１】
本発明は、オイルポンプに吸引されるオイルを濾過するオイルストレーナ及びその製造方法に関する。
【背景技術】
【０００２】
例えば、自動車のトランスアクスル内に、オイルを循環させるオイルポンプが配されている。そして、オイルポンプには、オイルポンプに吸引されるオイルを濾過するためのオイルストレーナが接続されている。
オイルストレーナとして、例えば、特許文献１に開示されているように、上側分割体と、上側分割体に取り付けられたフィルタ及び下側分割体とを有するものがある。
【先行技術文献】
【特許文献】
【０００３】
【特許文献１】特開２０１５−２０６２９１号公報
【発明の概要】
【発明が解決しようとする課題】
【０００４】
しかしながら、特許文献１に開示のオイルストレーナにおいては、上側分割体（ストレーナ本体）と下側分割体（ストレーナカバー）とが溶着されている。そのため、オイルストレーナを製造するにあたり、製造工数、製造コストが増大しやすい。その一方で、かしめ等によって、ストレーナ本体にストレーナカバーを固定する場合には、充分な固定力を簡素な工程にて得ることが困難である。
【０００５】
本発明は、かかる背景に鑑みてなされたものであり、ストレーナ本体に対するストレーナカバーの安定した固定状態を得ることができる、製造容易なオイルストレーナ及びその製造方法を提供しようとするものである。
【課題を解決するための手段】
【０００６】
本発明の一態様は、オイルポンプに吸引されるオイルを濾過するオイルストレーナであって、
上記オイルポンプのポンプ室に連通すると共に下側に本体開口面を備えたストレーナ本体と、
上記オイルを吸入する吸入口を有すると共に上記本体開口面を覆うように配設されたストレーナカバーと、
上記ストレーナ本体と上記ストレーナカバーとの間に介在して上記オイルを透過させるフィルタと、を有し、
上記ストレーナカバーと上記フィルタとは、上記本体開口面の広がり方向において互いの位置決めをするための、カバー位置決め部及びフィルタ位置決め部を、それぞれ有し、
上記ストレーナカバーは、上記ストレーナ本体における上記本体開口面の外周に設けられた本体周縁部に係合する係合爪部を、複数設けてなり、
上記係合爪部は、上記ストレーナカバーから上側へ立設した立設部と、上記立設部の上端から内側へ折り返された折返し部と、を有し、
上記立設部は、上記本体周縁部の外側において立設しており、
上記折返し部は、外側から内側へ向かうほど、上記本体周縁部の上面に近づくように、上記本体周縁部の上面に対して傾斜しており、
上記折返し部は、該折返し部の先端である折返し先端部において、上記本体周縁部の上面に当接している、オイルストレーナにある。
【０００７】
本発明の他の態様は、上記オイルストレーナを製造する方法であって、
上記ストレーナカバー及び上記フィルタを、上記ストレーナ本体に固定するにあたっては、
上記係合爪部を、上記立設部が上記ストレーナカバーに対して外側へ突出し、かつ上記折返し部が上記立設部に対して上側へ突出した、立設前状態としておき、
上記カバー位置決め部と上記フィルタ位置決め部とによって、上記ストレーナカバーと上記フィルタとを互いに位置決めすると共に、上記ストレーナカバー及び上記フィルタを上記ストレーナ本体の上記本体開口面に配置し、
上記立設前状態にある上記係合爪部を、上記立設部が上記ストレーナカバーに対して上側へ立設するように屈曲させることによって、上記折返し先端部を、上記本体周縁部の上面に当接させる、オイルストレーナの製造方法にある。
【発明の効果】
【０００８】
上記オイルストレーナにおいて、上記ストレーナカバーは、複数の上記係合爪部によって、上記ストレーナ本体に固定されている。それゆえ、ストレーナカバーを、容易にストレーナ本体に固定することができる。そのため、オイルストレーナの製造を容易に行うことができる。
【０００９】
また、上記係合爪部は、上記立設部と上記折返し部とを有する。そして、折返し部は、外側から内側へ向かうほど、上記本体周縁部の上面に近づくように、本体周縁部の上面に対して傾斜している。これにより、ストレーナ本体に対するストレーナカバーの安定した固定状態を得ることができる。すなわち、折返し部が、本体周縁部の上面に対して上記のような状態にて配置されていることで、折返し先端部を、確実に本体周縁部に当接させることができる。その結果、係合爪部を本体周縁部に、安定してかしめることができる。
また、ストレーナカバーとフィルタとは、カバー位置決め部及びフィルタ位置決め部を、それぞれ有する。これにより、係合爪部のかしめによってストレーナカバーをフィルタと共にストレーナ本体に固定する作業を容易に行うことができる。
【００１０】
また、上記オイルストレーナの製造方法においては、上記立設前状態としておいた係合爪部を、立設部がストレーナカバーに対して上側へ立設するように屈曲させる。これによって、折返し先端部を、本体周縁部の上面に当接させる。このようにすることで、ストレーナ本体に対するストレーナカバーの安定した固定状態を容易に得ることができる。
【００１１】
以上のごとく、上記態様によれば、ストレーナ本体に対するストレーナカバーの安定した固定状態を得ることができる、製造容易なオイルストレーナ及びその製造方法を提供しようとするものである。
【図面の簡単な説明】
【００１２】
【図１】実施形態１における、オイルストレーナの断面図であって、図２のＩ−Ｉ線矢視断面相当図。
【図２】実施形態１における、オイルストレーナの上面図。
【図３】実施形態１における、ストレーナカバーの上面図。
【図４】実施形態１における、フィルタの上面図。
【図５】実施形態１における、フレームの上面図。
【図６】実施形態１における、オイルストレーナの分解断面図。
【図７】実施形態１における、各部品を位置決めして重ね合わせた状態の断面図。
【図８】実施形態１における、係合爪部をカバー周縁部に対して屈曲させる前の状態の断面説明図。
【図９】実施形態１における、係合爪部をカバー周縁部に対して屈曲させた後の状態の断面説明図。
【図１０】実施形態２における、フィルタの上面図。
【図１１】実施形態３における、オイルストレーナの断面図であって、図１２のXI−XI線矢視断面相当図。
【図１２】実施形態３における、オイルストレーナの上面図。
【図１３】実施形態３における、ストレーナカバーの上面図。
【図１４】実施形態３における、各部品を位置決めして重ね合わせた状態の断面図。
【発明を実施するための形態】
【００１３】
上記オイルストレーナは、例えば、トランスアクスル内に配設されたオイルポンプに取り付けられる。なお、「下側」、「上側」等の表現は、オイルストレーナが、トランスアクスル内等に配設されて使用されるときの姿勢を基準とするものである。
【００１４】
また、上記折返し部は、上記立設部に対して鋭角をなすように屈曲していることが好ましい。この場合には、本体周縁部の上面に、上記折返し先端部を、より容易かつ確実に当接させることができる。
【００１５】
また、上記フィルタの上面に配された板状のフレームをさらに有し、該フレームは、上記ストレーナカバー及び上記フィルタと共に、上記本体周縁部の下面に固定されているものとすることができる。この場合には、ストレーナカバーを、フィルタ及びフレームと共に、ストレーナ本体に、容易に安定して固定することができる。
【００１６】
また、上記フレームは、上記ストレーナカバーに対して、上記本体開口面の広がり方向において位置決めするためのフレーム位置決め部を有することが好ましい。この場合には、フィルタ及びフレームと共にストレーナカバーをストレーナ本体に組み付ける作業を、より容易に行うことができる。
【００１７】
また、上記ストレーナカバー及び上記フィルタは、上記カバー位置決め部及び上記フィルタ位置決め部によって、上記ストレーナ本体に対して、上記本体開口面の広がり方向において位置決めされるよう構成されていることが好ましい。この場合には、ストレーナカバーをストレーナ本体に組み付ける作用を、より容易に行うことができる。
【００１８】
（実施形態１）
オイルストレーナ及びその製造方法の実施形態につき、図１〜図９を参照して説明する。
オイルストレーナ１は、図示を省略するオイルポンプに吸引されるオイルを濾過する。
オイルストレーナ１は、図１に示すごとく、ストレーナ本体２とストレーナカバー３とフィルタ４とを有する。
【００１９】
ストレーナ本体２は、オイルポンプのポンプ室に連通すると共に、図６に示すごとく、下側に本体開口面２１を備えている。
ストレーナカバー３は、図１、図３、図６に示すごとく、オイルを吸入する吸入口３１を有すると共に本体開口面２１を覆うように配設されている。
フィルタ４は、図１に示すごとく、ストレーナ本体２とストレーナカバー３との間に介在してオイルを透過させる。
【００２０】
ストレーナカバー３とフィルタ４とは、本体開口面２１の広がり方向において互いの位置決めをするための、カバー位置決め部３２及びフィルタ位置決め部４２を、それぞれ有する。
ストレーナカバー３は、ストレーナ本体２における本体開口面２１の外周に設けられた本体周縁部２３に係合する係合爪部３３を、複数設けてなる。
【００２１】
係合爪部３３は、ストレーナカバー３から上側へ立設した立設部３３１と、立設部３３１の上端から内側へ折り返された折返し部３３２と、を有する。
立設部３３１は、本体周縁部２３の外側において立設している。
折返し部３３２は、外側から内側へ向かうほど、本体周縁部２３の上面２３１に近づくように、本体周縁部２３の上面２３１に対して傾斜している。
折返し部３３２は、折返し部３３２の先端である折返し先端部３３３において、本体周縁部２３の上面２３１に当接している。
折返し部３３２は、立設部３３１に対して鋭角をなすように屈曲している。
【００２２】
オイルストレーナ１は、フィルタ４の上面に配された板状のフレーム５をさらに有する。フレーム５は、ストレーナカバー３及びフィルタ４と共に、本体周縁部２３の下面２３２に固定されている。
【００２３】
フレーム５は、ストレーナカバー３に対して、本体開口面２１の広がり方向において位置決めするためのフレーム位置決め部５２を有する。
ストレーナカバー３及びフィルタ４は、カバー位置決め部３２及びフィルタ位置決め部４２によって、ストレーナ本体２に対して、本体開口面２１の広がり方向において位置決めされるよう構成されている。すなわち、カバー位置決め部３２及びフィルタ位置決め部４２は、ストレーナカバー３とフィルタ４との位置決め機能と共に、ストレーナ本体２との位置決め機能を兼ねている。
【００２４】
図１、図２、図６に示すごとく、ストレーナ本体２は、本体開口面２１に対して上側から対向するように配置された上板部２５を有する。上板部２５に、オイルポンプのポンプ室へオイルを流出する流出口２５１を有する。上板部２５の外周には、下方へ向かうほど外側へ向かうように傾斜した傾斜周壁部２４が形成されている。そして、傾斜周壁部２４の下端から外側へ向かうように、本体周縁部２３が形成されている。傾斜周壁部２４の下端部に、フレーム位置決め部５２、フィルタ位置決め部４２、及びカバー位置決め部３２が、それぞれ直接的または間接的に係止するようになっている。すなわち、傾斜周壁部２４の下端部は、フレーム５、フィルタ４及びストレーナカバー３と、ストレーナ本体２との位置決めを行う、本体位置決め部２２を構成している。
【００２５】
図２に示すごとく、傾斜周壁部２４及び本体周縁部２３は、上下方向から見たとき、ストレーナ本体２の全周に形成されている。本実施形態においては、上下方向から見たとき、ストレーナ本体２の外形は、略長方形状となっている。
【００２６】
図３に示すごとく、ストレーナカバー３は、その厚み方向（上下方向）から見たときの全体の外形が、略長方形状を有すると共に、２つの長辺からそれぞれ２本、２つの短辺からそれぞれ１本の係合爪部３３を突出してなる。ストレーナカバー３は、ストレーナ本体２の本体周縁部２３に対向配置されるカバー周縁部３４を、全周に設けてある。カバー周縁部３４の内側には、内側へ向かうにつれて上方へ向かうように傾斜したカバー段部３５が形成されている。カバー段部３５の内側に、略平板状のカバー中央部３６が設けてある。本実施形態においては、カバー段部３５が、上述のカバー位置決め部３２となっている。また、カバー中央部３６に、吸入口３１が形成されている。
図３、図６に示すごとく、ストレーナカバー３は、ストレーナ本体２に組み付ける前の状態においては、係合爪部３３の立設部３３１が、カバー周縁部３４に対して立設しておらず、カバー周縁部３４と同一平面上に形成されている。
【００２７】
図４に示すごとく、フィルタ４は、メッシュの板状に形成されている。例えば、フィルタ４は、金属線を網目状に編んだ状態となっている。そして、この網目をオイルが透過するよう構成されており、また、一定以上の大きさの異物が、フィルタ４に捕捉されるよう構成されている。これにより、一定以上の大きさの異物がオイルと共にオイルポンプへ導入されることが防がれる。
【００２８】
フィルタ４は、その厚み方向（上下方向）から見たときの全体の外形が、略長方形状となっている。そして、フィルタ４は、図４、図６に示すごとく、ストレーナ本体２の本体周縁部２３に対向配置されるフィルタ周縁部４４を、全周に設けてある。フィルタ周縁部４４の内側には、内側へ向かうにつれて上方へ向かうように傾斜したフィルタ段部４５が形成されている。フィルタ段部４５の内側に、略平板状のフィルタ中央部４６が設けてある。本実施形態においては、フィルタ段部４５が、上述のフィルタ位置決め部４２となっている。
【００２９】
図５に示すごとく、フレーム５は、その厚み方向（上下方向）から見たときの全体の外形が、略長方形状を有する。フレーム５は、４辺からそれぞれ１つずつ、突出縁部５４を突出してなる。本実施形態においては、各突出縁部５４は、フレーム５の各辺の全体ではなく、一部から突出している。ただし、各突出縁部５４は、フレーム５の各辺の全体から突出していてもよい。
【００３０】
フレーム５は、フィルタ中央部４６と重なる枠本体５３と、突出縁部５４との間に、フレーム段部５５を有する。フレーム段部５５は、内側へ向かうにつれて上方へ向かうように傾斜している。本実施形態においては、フレーム段部５５が上述のフレーム位置決め部５２となっている。
また、フレーム５の枠本体５３は、厚み方向に開口した開口部５１、５２を複数有する。複数の開口部５１、５２のうちの一つの開口部５１が、ストレーナカバー３の吸入口３１と、上下方向に重なるよう構成されている。
【００３１】
オイルストレーナ１を製造する際、ストレーナカバー３及びフィルタ４を、ストレーナ本体２に固定するにあたっては、基本的には、以下のような手順を踏む。便宜上、まず、フレーム５については触れずに、組立手順の概要を説明する。ただし、後述するように、本実施形態においては、フレーム５についても組み付ける。
【００３２】
まず、係合爪部３３を、図６〜図８に示すような、立設部３３１がストレーナカバー３に対して外側へ突出し、かつ折返し部３３２が立設部３３１に対して上側へ突出した、立設前状態としておく。
そして、図７、図８に示すごとく、カバー位置決め部３２とフィルタ位置決め部４２とによって、ストレーナカバー３とフィルタ４とを互いに位置決めすると共に、ストレーナカバー３及びフィルタ４をストレーナ本体２の本体開口面２１に配置する。
その後、図９に示すごとく、立設前状態にある係合爪部３３を、立設部３３１がストレーナカバー３に対して上側へ立設するように屈曲させることによって、折返し先端部３３３を、本体周縁部２３の上面２３１に当接させる。
【００３３】
次に、本実施形態のオイルストレーナ１の組立方法の一例を、より具体的に説明する。
オイルストレーナ１を組み立てるにあたっては、図６に示すように、互いに別部品となっている、ストレーナ本体２、フレーム５、フィルタ４、ストレーナカバー３を、互いに組み付ける。
【００３４】
まず、各部品を、図７に示すごとく、上下方向に重ね合わせる。このとき、本体開口面２１の広がり方向、すなわち水平方向においての位置決めを行う。その位置決めを、ストレーナ本体２の本体位置決め部２２、フレーム５のフレーム位置決め部５２、フィルタ４のフィルタ位置決め部４２、ストレーナカバー３のカバー位置決め部３２において行う。
【００３５】
この状態で、これらの部品を、ストレーナ本体２の本体周縁部２３の上面２３１と、ストレーナカバー３のカバー周縁部３４の下面とから、クランプ治具７２によってクランプする。クランプ治具７２によるクランプは、本体周縁部２３及びカバー周縁部３４の複数箇所において行う。図２に、クランプ治具７２による複数のクランプ位置を、破線の円にて例示する。クランプ位置は、係合爪部３３と干渉しない位置であれば、特に限定されないが、周方向に均等に配置されることが好ましい。なお、この段階においては、図７、図８に示すごとく、係合爪部３３の立設部３３１は、カバー周縁部３４に対して立設していないが、折返し部３３２は立設部３３１に対して屈曲している。
【００３６】
上述のように、ストレーナ本体２、フレーム５、フィルタ４、及びストレーナカバー３が重ねられて、クランプされた状態から、図１、図９に示すごとく、ストレーナカバー３の係合爪部３３を、カバー周縁部３４から屈曲させる。このとき、図８に示すごとく、プレス型７１を、曲げ加工前の係合爪部３３の下面に押し当て、さらに上昇させることで、図９に示すごとく、係合爪部３３の立設部３３１が、カバー周縁部３４に対して略垂直に立設する。すなわち、係合爪部３３の立設部３３１が、ストレーナ本体２の端面に沿って立設した状態となる。そして、これに伴い、予め、立設部３３１に対して屈曲されていた折返し部３３２の折返し先端部３３３が、ストレーナ本体２の本体周縁部２３の上面２３１に当接し、圧接する。これにより、係合爪部３３が本体周縁部２３にかしめられる。なお、折返し部３３２のうち、折返し先端部３３３よりも立設部３３１側の部分は、本体周縁部２３との間に隙間１１を形成している。
【００３７】
図８、図９においては、一つの係合爪部３３における曲げ加工の様子のみを表しているが、ストレーナカバー３に設けたすべての係合爪部３３を、同時に、上記と同様に、プレスによって曲げ加工することができる。
以上により、図１、図２に示すごとく、ストレーナ本体２に対して、ストレーナカバー３が、複数の係合爪部３３によってフィルタ４及びフレーム５と共に組み付けられる。
【００３８】
なお、上記のように、係合爪部３３の立設部３３１をカバー周縁部３４に対して屈曲させることにより、折返し部３３２が本体周縁部２３の上面２３１に圧接するようにするために、各部品の各部の寸法関係、さらには、プレス型７１の押し当て位置などを管理する。例えば、係合爪部３３の立設部３３１とカバー周縁部３４との屈曲点から、立設部３３１と折返し部３３２との屈曲点までの距離が、長すぎても、短すぎても、係合爪部３３による本体周縁部２３へのかしめ力が充分に得られない。すなわち、立設部３３１の長さが長すぎても短すぎても、充分なかしめ力が得られないこととなる。この立設部３３１の適切な長さは、係合爪部３３が包み込む板材の厚みの合計に基づいて決まる。図９に示すごとく、係合爪部３３が包み込む部材が、本体周縁部２３とフレーム５の突出縁部５４と、フィルタ周縁部４４であれば、本体周縁部２３の厚みと突出縁部５４の厚みと、フィルタ周縁部４４の厚みとの合計よりも、立設部３３１の長さを若干長くする。
【００３９】
図示は省略するが、本実施形態においても、フレーム５の突出縁部５４のない箇所において、係合爪部３３が本体周縁部２３と係合する部分もある。かかる部分においては、立設部３３１の長さを、本体周縁部２３の厚みとフィルタ周縁部４４の厚みとの合計よりも、若干長い程度とすることとなる。
【００４０】
ただし、この立設部３３１の適切な長さは、係合爪部３３における、立設部３３１と折返し部３３２とのなす角度や、折返し部３３２の長さによっても、変動する。それゆえ、上述したように、各部品の各部の寸法等、種々の観点から、適切な寸法関係を管理して、係合爪部３３の折返し先端部３３３が適切な圧力にて、本体周縁部２３に当接するようにする。
【００４１】
次に、本実施形態の作用効果につき説明する。
上記オイルストレーナ１において、ストレーナカバー３は、複数の係合爪部３３によって、ストレーナ本体２に固定されている。それゆえ、ストレーナカバー３を、容易にストレーナ本体２に固定することができる。そのため、オイルストレーナ１の製造を容易に行うことができる。
【００４２】
また、係合爪部３３は、立設部３３１と折返し部３３２とを有する。そして、折返し部３３２は、外側から内側へ向かうほど、本体周縁部２３の上面２３１に近づくように、本体周縁部２３の上面２３１に対して傾斜している。これにより、ストレーナ本体２に対するストレーナカバー３の安定した固定状態を得ることができる。すなわち、折返し部３３２が、本体周縁部２３の上面２３１に対して上記のような状態にて配置されていることで、折返し先端部３３３を、確実に本体周縁部２３に当接させることができる。その結果、係合爪部３３を本体周縁部２３に、安定してかしめることができる。
【００４３】
また、ストレーナカバー３とフィルタ４とは、カバー位置決め部３２及びフィルタ位置決め部４２を、それぞれ有する。これにより、係合爪部３３のかしめによってストレーナカバー３をフィルタ４と共にストレーナ本体２に固定する作業を容易に行うことができる。
【００４４】
また、上記オイルストレーナの製造方法においては、図８に示すような上記立設前状態としておいた係合爪部３３を、図９に示すごとく、立設部３３１がストレーナカバー３に対して上側へ立設するように屈曲させる。これによって、折返し先端部３３３を、本体周縁部２３の上面２３１に当接させる。このようにすることで、ストレーナ本体２に対するストレーナカバー３の安定した固定状態を容易に得ることができる。
【００４５】
また、上記のように、ストレーナカバー３を、フィルタ４及びフレーム５と共に本体開口面２１に配置した後、立設前状態にある係合爪部３３を屈曲させる。そのため、係合爪部３３を屈曲させるまでの間、ストレーナカバー３に対して、フィルタ４及びフレーム５が位置ずれしないように位置決めしておくことが有効となる。かかる観点において、特に、カバー位置決め部３２、フィルタ位置決め部４２、フレーム位置決め部５２の存在が有効となる。
【００４６】
また、折返し部３３２は、立設部３３１に対して鋭角をなすように屈曲している。そのため、立設部３３１を、本体周縁部２３に対して垂直に立設させたとき、折返し部３３２を、本体周縁部２３の上面２３１に対して傾斜させつつ、折返し先端部３３３を当接させやすくなる。
【００４７】
また、オイルストレーナ１はフレーム５を有し、フレーム５は、ストレーナカバー３及びフィルタ４と共に、本体周縁部２３の下面２３２に固定されている。これにより、フィルタ４を安定して、ストレーナ本体２に固定することができる。また、フレーム５も、ストレーナカバー３と共に、ストレーナ本体２に固定することができるため、オイルストレーナ１の組み立てを容易にすることができる。
【００４８】
また、フレーム５はフレーム位置決め部５２を有するため、フレーム５をストレーナカバー３及びフィルタ４と共にストレーナ本体２に組み付ける作業をより容易にすることができる。
【００４９】
ストレーナカバー３及びフィルタ４は、カバー位置決め部３２及びフィルタ位置決め部４２によって、ストレーナ本体２に対して、本体開口面２１の広がり方向において位置決めされるよう構成されている。これにより、ストレーナカバー３及びフィルタ４を、ストレーナ本体２に対して、容易に位置決めして、組付けることができる。
【００５０】
以上のごとく、上記態様によれば、ストレーナ本体に対するストレーナカバーの安定した固定状態を得ることができる、製造容易なオイルストレーナ及びその製造方法を提供しようとするものである。
【００５１】
（実施形態２）
本実施形態においては、図１０に示すごとく、フィルタ４の外周から突出した複数の突出部４３を設けている。
突出部４３は、ストレーナカバー３の係合爪部３３に対応する位置に設けてある。図示を省略するが、突出部４３は、係合爪部３３の内側に沿う形状に屈曲される。そして、係合爪部３３によって本体周縁部２３をかしめたとき、本体周縁部２３と係合爪部３３との間に、突出部４３が介在した状態となる。
【００５２】
その他の構成は、実施形態１と同様である。
なお、実施形態２以降において用いた符号のうち、既出の実施形態において用いた符号と同一のものは、特に示さない限り、既出の実施形態におけるものと同様の構成要素等を表す。
【００５３】
本実施形態においては、係合爪部３３の折返し先端部３３３が、ストレーナ本体２の本体周縁部２３の上面２３１に直接当接しない構成となり得る。ただし、かかる場合も、折返し先端部３３３が間接的に本体周縁部２３の上面２３１に圧接し、折返し先端部３３３において、かしめ力が本体周縁部２３に作用することとなるため、実施形態１と同様の作用効果を奏する。
その他、実施形態１と同様の作用効果を有する。
【００５４】
（実施形態３）
本実施形態においては、図１１〜図１４に示すごとく、カバー位置決め部３２０を、カバー周縁部３４から上側へ立設させた立設板によって構成している。
カバー位置決め部３２０は、図１２、図１３に示すごとく、係合爪部３３が配設されている部位とは異なる部位において、カバー周縁部３４の複数箇所から立設している。
【００５５】
そして、図１１、図１２に示すごとく、カバー位置決め部３２０に対して、フィルタ４の外周端、フレーム５の外周端、及びストレーナ本体２の外周端が、当接している。したがって、フィルタ４の外周端がフィルタ位置決め部４２０、フレーム５の外周端がフレーム位置決め部５２０、ストレーナ本体２の外周端が本体位置決め部２２０となる。
【００５６】
また、本実施形態においては、ストレーナカバー３、フィルタ４及びフレーム５の形状を、実施形態１に示したものとは異ならせている。すなわち、ストレーナカバー３は、カバー段部３５（図６参照）を備えず、フィルタ４は、フィルタ段部４５（図６参照）を備えず、フレーム５は、フレーム段部５５（図６参照）を備えていない。
【００５７】
本実施形態のオイルストレーナ１を組み立てるにあたっては、図１３、図１４に示すごとく、係合爪部３３が上側へ立設される前の立設前状態にあるストレーナカバー３の上面に、順次、フィルタ４、フレーム５、及びストレーナ本体２の本体周縁部２３が重なるように配置する。このとき、上述のように、カバー位置決め部３２０の内側面に、フィルタ４の外周端（フィルタ位置決め部４２０）、フレーム５の外周端（フレーム位置決め部５２０）、及びストレーナ本体２の外周端（本体位置決め部２２０）が、当接している。なお、ここでの当接には、公差に対応する若干のクリアランスが形成される状態も含まれる。
【００５８】
この状態から、実施形態１と同様に、複数の係合爪部３３を内側に屈曲して、係合爪部３３の立設部３３１を上方へ立設させる。これにより、図１１に示すごとく、係合爪部３３の折返し先端部３３３が、本体周縁部２３の上面２３１に当接し、圧接する。その結果、複数の係合爪部３３が本体周縁部２３にかしめられる。
このようにして、ストレーナ本体２に、ストレーナカバー３が、フィルタ４及びフレーム５と共に組み付けられる。
その他の構成は、実施形態１と同様である。
【００５９】
本実施形態においては、フィルタ４及びフレーム５の形状を簡素化することができる。
その他、実施形態１と同様の作用効果を有する。
【００６０】
本発明は上記各実施形態に限定されるものではなく、その要旨を逸脱しない範囲において種々の実施形態に適用することが可能である。
例えば、上記各実施形態においては、フレームを備えたオイルストレーナを開示したが、フレームを設けない構成とすることもできる。
【符号の説明】
【００６１】
１  オイルストレーナ
２  ストレーナ本体
２３  本体周縁部
３  ストレーナカバー
３２  カバー位置決め部
３３  係合爪部
３３１  立設部
３３２  折返し部
３３３  折返し先端部
４  フィルタ
４２  フィルタ位置決め部
【図１】
2018193893.tif 000003
【図２】
2018193893.tif 000004
【図３】
2018193893.tif 000005
【図４】
2018193893.tif 000006
【図５】
2018193893.tif 000007
【図６】
2018193893.tif 000008
【図７】
2018193893.tif 000009
【図８】
2018193893.tif 000010
【図９】
2018193893.tif 000011
【図１０】
2018193893.tif 000012
【図１１】
2018193893.tif 000013
【図１２】
2018193893.tif 000014
【図１３】
2018193893.tif 000015
【図１４】
2018193893.tif 000016